(57)【要約】【課題】高圧噴射により攪拌翼の回転域の外方に円筒状の改良域を形成する技術の改良。【手段】地盤改良用の高圧流体を、同一平面上の２枚の攪拌翼２，２の各先端部に設けたノズル４，５（または、１枚の攪拌翼の先端に設けた複数のノズル、または、１枚の攪拌翼の回転方向裏側に位置する複数のノズル）から、ほぼ水平方向に、かつ、攪拌翼２の回転域Ａの外方の点Ｐで交差するように噴射する。従来例のようにノズルの噴射角度を調整しないでも改良域Ｂの上下端を水平状態に形成できる。【選択図】　図２
2004019415.tif 000002
【特許請求の範囲】
【請求項１】
下端部に複数枚の攪拌翼を突設した回転軸を回転させながら地中に貫入し、または、引き抜く過程の一方もしくは双方において、地盤改良用の高圧流体を、同一平面上の２枚の攪拌翼の各先端部に設けたノズルから、ほぼ水平方向に、かつ、攪拌翼の回転域の外方で交差するように噴射して、攪拌翼の回転域の外方に円筒状の地盤改良域を形成することを特徴とする高圧噴射による地盤改良工法。
【請求項２】
下端部に複数枚の攪拌翼を突設した回転軸を回転させながら地中に貫入し、または、引き抜く過程の一方もしくは双方において、地盤改良用の高圧流体を、１枚の攪拌翼の先端に設けた複数のノズルから、ほぼ水平方向に、かつ、攪拌翼の回転域の外方で交差するように噴射して、攪拌翼の回転域の外方に円筒状の地盤改良域を形成することを特徴とする高圧噴射による地盤改良工法。
【請求項３】
下端部に複数枚の攪拌翼を突設した回転軸を回転させながら地中に貫入し、または、引き抜く過程の一方もしくは双方において、地盤改良用の高圧流体を、１枚の攪拌翼の回転方向裏側に位置する複数のノズルから、ほぼ水平方向に、かつ、攪拌翼の回転域の外方で交差するように噴射して、攪拌翼の回転域の外方に円筒状の地盤改良域を形成することを特徴とする高圧噴射による地盤改良工法。
【発明の詳細な説明】
【０００１】
【発明の属する技術分野】
本発明は、高圧噴射による地盤改良工法に関するものである。
【０００２】
【従来の技術】
地盤改良用の高圧流体を、上下の攪拌翼に設けたノズルから攪拌翼の回転域の外方で交差するように噴射して、攪拌翼の回転域の外方に円筒状の改良域を形成する技術は従来公知であるが（特公平７−３０５５１号公報参照）、この従来技術では、各ノズルの噴射角度を調整自在にし、改良域の下限では下の攪拌翼のノズルを、また、改良域の上限では上の攪拌翼のノズルを、それぞれ水平噴射に調整しないと、改良域の上下端が斜面に形成され、水平面にならない。
【０００３】
【発明が解決しようとする課題】
本発明が解決しようとする課題（本発明の目的）は、前記従来技術の問題点の解消、すなわち、ノズルの噴射角度を調整することなしに、攪拌翼の回転域の外方に、円筒状で上下端が水平面状態の地盤改良域を形成することができる高圧噴射による地盤改良工法を提供することにある。
【０００４】
【課題を解決するための手段】
前記課題を解決するために、請求項１に係る発明の高圧噴射による地盤改良工法（以下、本発明の第１工法という）では、下端部に攪拌翼を突設した回転軸を回転させながら地中に貫入し、または、引き抜く過程の一方もしくは双方において、地盤改良用の高圧流体を、同一平面上の２枚の攪拌翼の各先端部に設けたノズルから、ほぼ水平方向に、かつ、攪拌翼の回転域の外方で交差するように噴射して、攪拌翼の回転域の外方に円筒状の地盤改良域を形成するようにしている。
【０００５】
同じく、請求項２に係る発明の高圧噴射による地盤改良工法（（以下、本発明の第２工法という）では、下端部に攪拌翼を突設した回転軸を回転させながら地中に貫入し、または、引き抜く過程の一方もしくは双方において、地盤改良用の高圧流体を、１枚の攪拌翼の先端に設けた複数のノズルから、ほぼ水平方向に、かつ、攪拌翼の回転域の外方で交差するように噴射して、攪拌翼の回転域の外方に円筒状の地盤改良域を形成するようにしている。
【０００６】
同じく、請求項３に係る発明の高圧噴射による地盤改良工法（以下、本発明の第３工法という））では、下端部に攪拌翼を突設した回転軸を回転させながら地中に貫入し、または、引き抜く過程の一方もしくは双方において、地盤改良用の高圧流体を、１枚の攪拌翼の回転方向裏側に位置する複数のノズルから、ほぼ水平方向に、かつ、攪拌翼の回転域の外方で交差するように噴射して、攪拌翼の回転域の外方に円筒状の地盤改良域を形成するようにしている。
【０００７】
なお、本発明の第３工法では、複数のノズルが攪拌翼に設けられる場合の外、攪拌翼の付け根近くで回転軸に設けられる場合もある。
【０００８】
【発明の実施の形態】
本発明の第１〜第３工法実施用装置における攪拌翼の取付け態様の一例を示す図１において、１は回転軸、２は回転軸１の下端部に放射状に突設された上段の攪拌翼、３は同じく下段の攪拌翼であり、図の場合は上下２段に各４枚の攪拌翼２，３が設けられている。
【０００９】
本発明の第１工法では、図１に示すような回転軸１を回転させながら地中に貫入し、または、引き抜く過程の一方もしくは双方において、地盤改良用の高圧流体を、同一平面上の２枚の攪拌翼２，２（または３，３）の各先端部に設けたノズル（図の場合はノズル４，５）から、ほぼ水平方向に、かつ、攪拌翼２，３の回転域Ａの外方の点Ｐで交差するように噴射して、回転域Ａの外方に円筒状の改良域Ｂを形成する（図２参照）。
【００１０】
また、本発明の第２工法では、同じく図１に示すような回転軸１を回転させながら地中に貫入し、または、引く抜く過程で、地盤改良用の高圧流体を、１枚の攪拌翼２（または３）の先端に設けた複数のノズル（図の場合は２つのノズル６，７）から、ほぼ水平方向に、かつ、攪拌翼２，３の回転域Ａの外方の点Ｑで交差するように噴射して、回転域Ａの外方に円筒状の改良域Ｃを形成する（図３参照。なお、図３では１枚の攪拌翼２だけを示し、他の攪拌翼は図示を省略している）。
【００１１】
また、本発明の第３工法では、同じく図１に示すような回転軸１を回転させながら地中にに貫入し、または、引く抜く過程で、地盤改良用の高圧流体を、１枚の攪拌翼２（または３）の回転方向（矢印Ｘ方向）の裏側に位置する複数のノズル（図の場合は２つのノズル８，９）から、ほぼ水平方向に、かつ、攪拌翼２，３の回転域Ａの外方の点Ｒで交差するように噴射させて、回転域Ａの外方に円筒状の改良域Ｄを形成する（図４参照。なお、図４でも図３の場合と同様に１枚の攪拌翼２以外は図示省略している）。
【００１２】
本発明の第３工法では、ノズル８，９を、図４の（ロ）に示すように、攪拌翼２に設けてもよいし、また、図４の（ハ）に示すように、攪拌翼２の付け根付近で回転軸１に設けてもよい。
【００１３】
なお、図４の（ロ）では、ノスル８，９の位置が高さ方向に若干ずれているが、このようにしないで、ノスル８，９を同一平面上に設けても勿論構わない。
【００１４】
本発明の第１〜第３工法では、地盤改良材の高圧流体を噴射するノズルの数は、図示の場合のように通常は２つであるが、２つ以上であってもよく、また噴射する地盤改良用の高圧流体は、水と空気の場合、セメントミルクと空気の場合、固化材の粉体と空気の場合、セメントミルクのみの場合、水のみの場合の何れでもよい。
【００１５】
また、本発明の第１〜第３工法の実施時に、攪拌翼の回転域Ａに地盤改良剤を供給して、攪拌翼の回転域の攪拌混合処理を同時に行うか否かは任意である。
【００１６】
【発明の効果】
本発明の第１〜第３工法は、以上のようなものであって、前記目的の達成という効果が期待できるが、第２工法と第３工法においては、それ以外に、高圧流体の流線の挟角が比較的小さいので、大きな外径の改良域を確実に形成することができるという利点がある。
【図面の簡単な説明】
【図１】本発明の第１〜第３工法実施用装置における攪拌翼の取付け態様の一例を示す側面図である。
【図２】本発明の第１工法説明用の水平断面図である。
【図３】本発明の第２工法説明用の水平断面図である。
【図４】（イ）は本発明の第３工法説明用の水平断面図、（ロ）は第３工法におけるノズルを攪拌翼に設けた場合の斜視図、（ハ）は同じく回転軸に設けた場合の斜視図である。
【符号の説明】
１：回転軸、２：攪拌翼、３：攪拌翼、４：ノズル、５：ノズル、６：ノズル、７：ノズル、８：ノズル、９：ノズル、Ａ：回転域、Ｂ：改良域、Ｃ：改良域、Ｄ：改良域、Ｐ：点、Ｑ：点、Ｒ：点、Ｘ：矢印。
【図１】
2004019415.tif 000003
【図２】
2004019415.tif 000004
【図３】
2004019415.tif 000005
【図４】
2004019415.tif 000006